(57)【要約】      （修正有）【課題】シール構成部分を熟練度を要せず簡単に形成し、スポット溶接等の接合作業に際して、両端末連結部域外へのはみ出しやスパッタの付着による発火を防止する。【解決手段】サイドシル補強部材は、その長手方向前後において分割された一の分割部材３と他の分割部材４とで構成した場合、一の端末連結部３ａの外周壁に沿ってシール剤収容溝部６を凹設して、シール剤収容溝部内６に注入したペースト状シール剤５を他の分割部材４の端末連結部４aにおける内壁に密着させた状態で、両端末連結部同士３a,４aを接合して、両分割部材３，４を連結重合して構成されている。【選択図】図４
2012071625.tif 000002
【特許請求の範囲】
【請求項１】
パネル成形部材が、その長手方向前後において分割された一の分割部材と他の分割部材とで構成し、かつ、これら一の分割部材および他の分割部材の端末連結部同士を重合させ、当該両端末連結部を、ペースト状シール剤を介在させた状態で、スポット溶接などで接合することによって連結重合して構成する自動車の車体骨格部材を構成するパネル成形部材構造において、前記一の端末連結部の外周壁に沿ってシール剤収容溝部を凹設して、該シール剤収容溝部内に注入した前記ペースト状シール剤を前記他の分割部材の前記端末連結部における内壁に密着させた状態で、前記両端末連結部同士を接合して、前記両分割部材を連結重合したことを特徴とする自動車の車体骨格部材を構成するパネル成形部材構造。
【発明の詳細な説明】
【技術分野】
【０００１】
この発明は、自動車のサイドシルを補強するサイドシル補強部材など比較的長尺に構成される車体骨格部材を構成するパネル成形部材を、プレス成形性をよくするために、その長手方向の前後で分割構成し、かかる分割部材同士をその端末連結部において連結して構成するようになした自動車の車体骨格部材を構成するパネル成形部材構造に関する。
【背景技術】
【０００２】
この種のパネル成形部材、例えば、自動車の車体側部骨格を構成するサイドシルを補強するサイドシル補強部材は、自動車のフロントフロアパネルの両端部にそれぞれ前後に延びるサイドシルに添設するように設けられて、車室側に開口するようにパネル材をプレス成形することにより略ハット断面に形成されているものがある（特許文献１参照）。
【先行技術文献】
【特許文献】
【０００３】
【特許文献１】特開２０１０−１３７５９９号公報
【０００４】
かかるサイドシル補強部材のようなパネル成形部材は、自動車の前後方向に延在する長尺部材として構成されている。かかる長尺のパネル成形部材は、大型自動車に適用する場合などには、従来からプレス成形性を良好にするということから、図７に示すように、長手方向前後において分割された一の分割部材Ｘと他の分割部材Ｙとで構成するとともに、両分割部材の一端部同士を重合させた状態でスポット溶接などで連結することにより構成していた。そして、両分割部材Ｘ、Ｙの端末連結部を水密的に連結重合すべく、一の分割部材Ｘの端末連結部側にペースト状シール剤Ｚを塗布した上で、他の分割部材Ｘ、Ｙの端末連結部を重合させて、接合するようにしていた。かかる構成により、両分割部材Ｘ、Ｙの端末連結部同士は、図８に示すように、ペースト状シール剤Ｚが介在することにより水密的に密着した状態で接合されることになる。
【発明の開示】
【発明が解決しようとする課題】
【０００５】
しかしながら、かかる従来の両分割部材の連結構造は、一の分割部材Ｘの端末連結部にペースト状シール剤Ｚを塗布する場合にペースト状シール剤Ｚ自体がペースト状であるが故に、一定量のペースト状シール剤Ｚを均一の幅でしかも均一の厚さに塗布することを難しくしている。しかも、両分割部材Ｘ、Ｙの端末連結部同士をスポット溶接Ｓ等により接合する場合に、図８に示すように、ペースト状シール剤Ｚが潰れて両端末連結部の重合部外にはみ出してしまうことがある。かかるペースト状シール剤Ｚのはみ出し部分Ｚ−１は周囲に存する他の部材等に付着して汚してしまうことにもなり兼ねないことから、別工程において拭き取り作業を行わなければならない。更には、塗布したペースト状シール剤Ｚが、両端末連結部同士を接合する場合に、溶接によって発生したスパッタとともに外部に飛び散るおそれがあり、飛び散ったペースト状シール剤Ｚがスパッタにより発火してしまうことにもなりかねない。
【０００６】
そこで、この発明は、かかる従来の技術における未解決課題に鑑み、スポット溶接等の接合作業に際して、両端末連結部域外へのはみ出しをなくすとともに、スパッタに付着して発火することを防止すべくなした自動車の車体骨格部材を構成するパネル成形部材構造を提供することを目的としている。
【課題を解決するための手段】
【０００７】
この発明に係る自動車の車体骨格部材を構成するパネル成形部材構造は、自動車のサイドシルを補強するサイドシル補強部材などのパネル成形部材が、その長手方向前後において分割された一の分割部材と他の分割部材とで構成し、かつ、これら一の分割部材および他の分割部材の端末連結部同士を重合させ、当該両端末連結部を、ペースト状シール剤を介在させた状態で、スポット溶接などで接合することによって連結重合して構成する場合に、前記一の端末連結部の外周壁に沿ってシール剤収容溝部を凹設して、該シール剤収容溝部内に注入した前記ペースト状シール剤を前記他の分割部材の前記端末連結部における内壁に密着させた状態で、前記両端末連結部同士を接合して、前記両分割部材を連結重合したことを特徴とする。
【発明の効果】
【０００８】
このように構成する上記発明は、一の分割部材の端末連結部に形成したシール剤収容溝部内にペースト状シール剤を注入するようにしたことから、一の分割部材の端末連結部に均一な幅および厚さを有するシール構成部分を熟練度を要せず簡単に形成することができる。
【０００９】
かかる結果、上記発明は、一の分割部材および他の分割部材の両端末連結部同士のスポット溶接等の接合作業に際して、ペースト状シール剤を両端末連結部域外へはみ出させることがないとともに、スパッタが付着して発火することを防止することができる。
【００１０】
しかも、上記発明は、ペースト状シール剤を一の分割部材の端末連結部外壁と他の分割部材の端末連結部内壁とを密着させることができ、両分割部材が水密的に密着状態で連結重合されていることになる。
【図面の簡単な説明】
【００１１】
【図１】自動車の車体骨格部材の一つであるサイドシルをセンタピラーに連結構成した状態を描画した斜視図である。
【図２】この発明に係るプレス成形部材の一の実施例として図１におけるサイドシルに添設して当該サイドシルを補強すべくなしたサイドシル補強部材の斜視図である。
【図３】図２におけるサイドシル補強部材を構成する一の分割部材と他の分割部材とを分解し９０度回転させた状態で描画した部分拡大斜視図である。
【図４】図２におけるＡ−Ａ断面図である。
【図５】この発明に係るプレス成形部材の他の実施例として描画した図４と同様の断面図である。
【図６】この発明に係るプレス成形部材の更に他の実施例として描画した図４と同様の断面図である。
【図７】従来におけるプレス成形部材としてのサイドシル補強部材を構成する一の分割部材と他の分割部材とを分解して９０度回転させた状態で描画した部分斜視図である。
【図８】図７におけるサイドシル補強部材を構成する一の分割部材と他の分割部材との端末連結部分を９０度回転させた状態で拡大して描画した斜視図である。
【発明を実施するための形態】
【００１２】
この発明に係る実施例における自動車の車体骨格部材を構成するパネル成形部材構造は、スポット溶接等の接合作業に際して、両端末連結部外へのはみ出しをなくすとともに、スパッタが付着して発火することを防止すべく構成している。
【００１３】
次に、図を用いて、この発明を採用した実施例に係る自動車の骨格部材の一つであるサイドシルに採用した場合のパネル成形部材構造について説明する。先ず、図１〜図４を用いて、この発明に係る一実施例について説明する。
【００１４】
この発明に係る一の実施例に採用したパネル成形部材は、例えば、図１に示すように、自動車の車体側部骨格を構成するサイドシル１として、自動車の車体側部下段部に前後方向に延在するサイドシル補強部材２により補強された状態で、構成している。サイドシル１およびサイドシル補強部材２には、センタピラー８の下端部が連結されている。
【００１５】
サイドシル補強部材２は、自動車のフロントフロアパネル（不図示）の両端部にそれぞれ前後に延びるサイドシル１に添設するように設けられて、車室側に開口するようにパネル材をプレス成形することにより断面略ハット型に形成されている。
【００１６】
そして、サイドシル補強部材２は、自動車の前後方向に延在する長尺部材として構成していることから、プレス成形性を良好にすべく、図２に示すように、長手方向前後において分割された一の分割部材３と他の分割部材４とで構成している。しかも、サイドシル補強部材２は、両分割部材３、４の一端部同士が互いに端末連結部３ａ、４ａとなって、一の分割部材３の端末連結部３ａと他の分割部材４の端末連結部４ａとを互いに重合した状態でスポット溶接等により接合することにより連結して構成している。
【００１７】
かかる両端末連結部３ａ、４ａ同士の接合に際して、両端末連結部３ａ、４ａの間には、ペースト状シール剤５が介在されている。ペースト状シール剤５は、一の分割部材３における端末連結部３ａにビード状に形成したシール剤収容溝部６内に注入するようになっている。そして、シール剤収容溝部６は、端末連結部３ａの外周壁に沿って全域に亘って凹設され、しかも、端末連結部３ａの末端より内方に位置するように形成されている。
【００１８】
このように、ペースト状シール剤５を一の分割部材３の端末連結部３ａに形成したシール剤収容溝部６内に注入した状態で、一の分割部材３の端末連結部３ａの外壁を他の分割部材４の端末連結部４ａの内壁を重合させる。そして、図４に示すように、スポット溶接等により両端末連結部３ａ、４ａを接合することになる。この結果、両分割部材３、４が互いに連結されて、サイドシル補強部材２を構成することになる。かかる溶接部Ｓは、この一の実施例においては、外部からの水の侵入方向を考慮して、ペースト状シール剤５に対して端末連結部３ａの末端側に位置している。そして、溶接部Ｓは、ペースト状シール剤５が端末連結部３ａの外壁と端末連結部４ａの内壁との間に介在することで、両端末連結部３ａ、４ａ間を水密的に密着させシールしている。
【００１９】
以上説明したように構成する一の実施例は、一の分割部材３の端末連結部３ａに形成したシール剤収容溝部６内にペースト状シール剤５を注入するようにしたことから、一の分割部材３の端末連結部３ａに均一な幅および厚さを有するシール構成部分を熟練度を要せず簡単に形成することができる。
【００２０】
かかる結果、一の分割部材３および他の分割部材４の両端末連結部３ａ、４ａ同士のスポット溶接等の接合作業に際して、ペースト状シール剤５が両端末連結部３ａ、４ａ外へのはみ出しをなくすとともに、スパッタが付着して発火することを防止することができる。
【００２１】
しかも、上記一の実施例は、ペースト状シール剤５は、一の分割部材３の端末連結部３ａにおける外壁と他の分割部材４の端末連結部４ａにおける内壁とを密着させることができ、両分割部材３、４を水密的に密着状態で連結重合することができる。
【００２２】
つぎに、図５を用いて、この発明に係る他の実施例について説明する。かかる他の実施例は、上記一の実施例に対して、外部からの水侵入位置を考慮して、両端末連結部３ａ、４ａにおける溶接部Ｓを施す位置を変更したものである。すなわち、図５に示す他の実施例における溶接部Ｓは、外部からの上記一の実施例とは異なった水の侵入方向を考慮して、ペースト状シール剤５に対して端末連結部４ａの末端側に位置させたものである。
【００２３】
このように構成する他の実施例は、上記一の実施例と同様に、一の分割部材３の端末連結部３ａに形成したシール剤収容溝部６内にペースト状シール剤５を注入するようにしたことから、一の分割部材３の端末連結部３ａに均一な幅および厚さを有するシール構成部分を熟練度を要せず簡単に形成することができる。
【００２４】
この結果、かかる他の実施例も、一の分割部材３および他の分割部材４の両端末連結部３ａ、４ａ同士のスポット溶接等の接合作業に際して、ペースト状シール剤５が両端末連結部３ａ、４ａ外へのはみ出しをなくすとともに、スパッタが付着して発火することを防止することができる。
【００２５】
しかも、かかる他の実施例においても、上記一の実施例と同様に、ペースト状シール剤５は、一の分割部材３の端末連結部３ａにおける外壁と他の分割部材４の端末連結部４ａにおける内壁とを密着させることができ、両分割部材３、４を水密的に密着状態で連結重合することができる。
【００２６】
また、図６は、この発明を採用した更に他の実施例を示している。かかるさらに他の実施例においては、上記他の実施例に対して、図６に示すように、シール剤収容溝部６が、一方の端末連結部３ａの末端に開口した状態で形成されている点相違している。そして、かかるシール剤収容溝部６は、上記他の実施例と同様に図示する如くビード状に形成してもよいが、これに限るものではく、階段状に形成するようにしてもよい。
【００２７】
このように構成する更に他の実施例にも、上記二つの実施例と同様に、一の分割部材３の端末連結部３ａに形成したシール剤収容溝部６内にペースト状シール剤５を注入するようにしたことから、一の分割部材３の端末連結部３ａに均一な幅および厚さを有するシール構成部分を熟練度を要せず簡単に形成することができる。
【００２８】
かかる結果、一の分割部材３および他の分割部材４の両端末連結部３ａ、４ａ同士のスポット溶接等の接合作業に際して、ペースト状シール剤５が両端末連結部３ａ、４ａ外へのはみ出しをなくすとともに、スパッタが付着して発火することを防止することができる。
【００２９】
しかも、かかるさらに他の実施例においても、上記二つの実施例と同様に、ペースト状シール剤５は、一の分割部材３の端末連結部３ａにおける外壁と他の分割部材４の端末連結部４ａにおける内壁とを密着させることができ、両分割部材３、４を水密的に密着状態で連結重合することができる。
【００３０】
さらに、ペースト状シール剤５は、一方の端末連結部３ａの末端に開口した状態で形成されたシール剤収容溝部６内に注入されていることから、両端末連結部３ａ、４ａ同士の連結重合後においても、一部が表出して収容姿を作業者が見届けることができる。
【産業上の利用可能性】
【００３１】
以上説明したこの発明は、スポット溶接等の接合作業に際して、両端末連結部外へのはみ出しをなくすとともに、スパッタが付着して発火することを防止することができるため、自動車のサイドシルを補強するサイドシル補強部材など比較的に長尺に構成されるパネル成形部材を、プレス成形性をよくするために、その長手方向の前後で分割構成した分割部材同士をその端末連結部において連結して構成するようになした自動車の車体骨格部材を構成するパネル成形部材構造等に好適であるといえる。
【符号の説明】
【００３２】
１    サイドシル
２    サイドシル補強部材（パネル成形部材）
３    一の分割部材
３ａ  端末連結部
４    他の分割部材
４ａ  端末連結部
５    ペースト状シール剤
６    シール剤収容溝部
【図１】
2012071625.tif 000003
【図２】
2012071625.tif 000004
【図３】
2012071625.tif 000005
【図４】
2012071625.tif 000006
【図５】
2012071625.tif 000007
【図６】
2012071625.tif 000008
【図７】
2012071625.tif 000009
【図８】
2012071625.tif 000010